(57)【要約】【課題】配線用差込接続器の抜け止め作業を簡単かつ短時間で行えるようにすること。【解決手段】接続固定具２０は枠体２１と挟持部２２と掛止爪２３とからなる。使用時にはプラグ受け１１に接続固定具２０を嵌め込み固定し、挟持部２２を拡げた状態で差込プラグ５をプラグ受け１１に差し込み、挟持部２２を元の位置に戻して掛止爪２３を差込プラグ５のフランジ部７ａに掛止することにより、差込プラグ５をプラグ受け１１から抜け止めする。【選択図】図３
2009158355.tif 000002
【特許請求の範囲】
【請求項１】
差込プラグとプラグ受けで構成される配線用差込接続器において、プラグ受けに差し込み接続した差込プラグがプラグ受けから抜けるのを防止する接続固定具であって、プラグ受けのプラグ本体に嵌め込まれる枠体と、プラグ受けのプラグ本体と差込プラグのプラグ本体を挟み付けるように弾性変形する挟持部と、挟持部の先端に突設されて差込プラグのプラグ本体先端のフランジ部に掛止される掛止爪とからなることを特徴とする配線用差込接続器の接続固定具。
【請求項２】
プラグ受けのプラグ本体先端にあるフランジ部の通過時に開き、通過後に閉じるように弾性変形する開閉部と、開閉部の先端に形成されてフランジ部に当接する突起とが設けられていることを特徴とする請求項１に記載の配線用差込接続器の接続固定具。
【請求項３】
開閉部が断面Ｕ字形状の板ばね部を介して枠体の端部に一体化されていることを特徴とする請求項２に記載の配線用差込接続器の接続固定具。
【請求項４】
挟持部が断面Ｕ字形状の板ばね部を介して枠体の端部に一体化されていることを特徴とする請求項１，２，３のいずれか１項に記載の配線用差込接続器の接続固定具。
【発明の詳細な説明】
【技術分野】
【０００１】
本発明は、差込プラグとプラグ受けで構成される配線用差込接続器において、プラグ受けに差し込み接続した差込プラグがプラグ受けから抜けるのを防止する配線用差込接続器の接続固定具に関する。
【背景技術】
【０００２】
従来、例えばパチンコ店では、店内に複数台の遊技機が隣接して配置されており、遊技機の近傍には商用電源からの入力電圧を定格の出力電圧に変換して供給する電源トランスが設置されている（下記の特許文献１を参照）。電源トランスの設置作業は、商用電源のコンセントに接続した高圧供給用の配線コードを電源トランスに接続することにより行われているが、この設置作業において、配線コードを引っ張った時に電源トランスから配線コードが外れてしまうと、遊技機に電力が供給されなくなり、遊技機が正常に稼動しないというトラブルが発生する。
【０００３】
そこで従来は、図４に示すように、電源トランス１から配線コード２が外れるのを防ぐために専用のコネクタ３とブラケット４を使用していた。コネクタ３は内部に回転ロック機構（図示略）が設けられており、コネクタ３を固定した金属製のブラケット４を電源トランス１のケースにネジ止めすることによって強固に取り付けられている。そして、コネクタ３に差込プラグ５を差し込んで接続し、差込プラグ５のプラグ本体７を回転させると栓刃６が刃受け穴８の内部に抜け止めされ、電源トランス１から配線コード２が簡単に外れないようになっている。
【０００４】
【特許文献１】特開２００６−２４７００８号公報
【発明の開示】
【発明が解決しようとする課題】
【０００５】
ところが、従来の接続方法によると、ブラケット４にコネクタ３を固定する作業や電源トランス１にブラケット４を取り付ける作業を、店内に設置するすべての電源トランス１について行わなければならないため、その接続作業が非常に面倒で時間が掛かるという問題があった。また、専用のコネクタ３やブラケット４を電源トランス１の設置台数分だけ用意する必要があるため、材料や加工費が嵩み、設備コストが高くなるという問題もあった。
【０００６】
本発明はこのような問題を解決するためになされたものであり、その目的とするところは、接続作業を簡単かつ短時間で行うことができ、さらには低コストで製造することが可能な配線用差込接続器の接続固定具を提供することにある。
【課題を解決するための手段】
【０００７】
上記の目的を達成するため、本発明は、差込プラグとプラグ受けで構成される配線用差込接続器において、プラグ受けに差し込み接続した差込プラグがプラグ受けから抜けるのを防止する接続固定具であって、プラグ受けのプラグ本体に嵌め込まれる枠体と、プラグ受けのプラグ本体と差込プラグのプラグ本体を挟み付けるように弾性変形する挟持部と、挟持部の先端に突設されて差込プラグのプラグ本体先端のフランジ部に掛止される掛止爪とからなることを特徴とする。
【０００８】
また、本発明は、上記構成からなる接続固定具において、プラグ受けのプラグ本体先端にあるフランジ部の通過時に開き通過後に閉じるように弾性変形する開閉部と、開閉部の先端に形成されてフランジ部に当接する突起とが設けられていることを特徴とする。
【０００９】
なお、本発明においては、開閉部や挟持部が断面Ｕ字形状の板ばね部を介して枠体の端部に一体化されている構成を採用することができる。
【００１０】
本発明の接続固定具を使用する場合には、まずプラグ受けに枠体を嵌め込み固定し、次に挟持部を拡げた状態で差込プラグをプラグ受けに差し込み、最後に挟持部を元の位置に戻すと掛止爪が差込プラグのフランジ部に掛止され、差込プラグがプラグ受けから抜け止めされる。
【発明の効果】
【００１１】
上記の構成から明らかなように、本発明の接続固定具によれば、配線コードを抜け止めする際にネジ止め固定等の面倒な取付作業が廃止され、簡単かつ短時間で配線用差込接続器の接続作業を行うことができる。また、従来のような専用のコネクタやブラケット等の部品が不要になり、金属に比べて材料や加工費の安価な合成樹脂材料で製造することができるので、例えばパチンコ店のように多数の配線が必要な場所において、設備コストを大幅に低減することができる。
【発明を実施するための最良の形態】
【００１２】
以下、本発明の実施の形態について、図面を参照しながら説明する。
【００１３】
図１は本発明に係る配線用差込接続器の接続固定具を用いた接続例を示す外観図、図２は接続固定具の構成を示す詳細図、図３は接続固定具の使用方法を示す説明図である。
【００１４】
図１に示すように、本実施形態では、商用電源のコンセントに接続された高圧供給用の配線コード２と、電源トランス１の入力側に接続された高圧供給用の配線コード９とを、配線用差込接続器１０で連結する例について説明する。
【００１５】
配線コード２の先端には差込プラグ５が設けられており、この差込プラグ５は、導電性の栓刃６と、栓刃６と配線コード２との電気的接続部を被覆保護する絶縁性のプラグ本体７とにより構成されている。これに対して、電源トランス１の１次コイルには配線コード９で接続されたプラグ受け１１が設けられており、このプラグ受け１１は、差込プラグ５の栓刃６が抜き差しされる刃受け穴１２と、刃受け穴１２の内部にある接点と配線コード９との電気的接続部を被覆保護する絶縁性のプラグ本体１３とにより構成されている。なお、図示は省略するが、電源トランス１の出力側には、低圧供給用の配線コードを介して遊技機が接続されている。
【００１６】
そして、本実施形態の接続固定具２０は、差込プラグ５とプラグ受け１１で構成される配線用差込接続器１０において、プラグ受け１１に接続した差込プラグ５がプラグ受け１１から抜けるのを防止する目的で使用される。
【００１７】
図２に示すように、この接続固定具２０は、枠体２１と挟持部２２と掛止爪２３を備えて構成されており、これらを合成樹脂等の絶縁性材料で一体成形することにより低コストで製造することができる。
【００１８】
枠体２１はプラグ受け１１のプラグ本体１３よりもひと回り大きい矩形状に形成されており、その内部にはプラグ本体１３を通すための貫通穴２４が開口している。また、枠体２１の長辺側内面には、向かい合った板状の挟持部２２，２２が枠体２１の一端からはみ出すように設けられており、この挟持部２２はプラグ受け１１のプラグ本体１３と差込プラグ５のプラグ本体７とを同時に挟み付けるように弾性変形する。その弾性変形可能な構造として、本実施形態では図２（ｃ）に示すように、枠体２１の後端部を折り返して断面Ｕ字形状の板ばね部２５を形成し、この板ばね部２５を介して枠体２１と挟持部２２とが一体成形されている。
【００１９】
挟持部２２，２２の先端内側にはそれぞれ掛止爪２３，２３が突出形成されており、この掛止爪２３は差込プラグ５のプラグ本体７の先端に設けられたフランジ部７ａに掛止される。なお、フランジ部７ａへの引っ掛かりを良くするため、掛止爪２３は内側に向かって若干傾斜しているのが好ましく、本実施形態では図２（ｅ）に示すように掛止爪２３に略５°の傾斜角度が付けられている。
【００２０】
また、枠体２１の短辺側内面には、向かい合った板状の開閉部２６，２６が枠体２１の内部に納まるように挟持部２２，２２よりも短い長さで設けられており、開閉部２６は通常時は閉じているがプラグ受け１１を通す時に外側に開くように弾性変形する。図２（ｄ）に示すように、開閉部２６もまた枠体２１の後端部を折り返して断面Ｕ字形状の板ばね部２８を形成し、この板ばね部２８を介して枠体２１と開閉部２６とが一体成形されている。さらに、開閉部２６，２６の先端内側にはそれぞれ突起２７，２７が形成されており、この突起２７はプラグ受け１１のプラグ本体１３の先端に設けられたフランジ部１３ａに当接する。
【００２１】
本実施形態の接続固定具２０は上記のように構成されており、これを使用する手順は図３の通りである。
【００２２】
まず、図３（ａ）に示すように、プラグ受け１１に接続固定具２０を装着する。このとき、接続固定具２０の挟持部２２がはみ出している側を前方に向けてプラグ受け１１の先端側から嵌め込むようにすると、フランジ部１３ａが突起２７に衝突し、板ばね部２８によって弾性変形した開閉部２６が外側へと開く。そしてフランジ部１３ａが通過し終わると開閉部２６は板ばね部２８の弾性力によって元の位置に復帰し、突起２７がフランジ部１３ａに当接する。したがって、プラグ受け１１を引き抜こうとしても、フランジ部１３ａが突起２７に引っ掛かって抜け止めされ、接続固定具２０がプラグ受け１１に固定される。
【００２３】
次に、図３（ｂ）に示すように、プラグ受け１１に差込プラグ５を接続する。プラグ受け１１には接続固定具２０が固定されているが、ここで差込プラグ５をそのまま差し込もうとすると挟持部２２が邪魔になるので、図３（ｃ）に示すように挟持部２２を外側に向かって拡げるようにする。これにより、挟持部２２が板ばね部２５によって弾性変形し、貫通穴２４の開口部が拡がって差込プラグ５の栓刃６をプラグ受け１１の刃受け穴１２に差し込むことが可能になる。
【００２４】
最後に、図３（ｄ）に示すように、挟持部２２を拡げていた力を解除する。すると挟持部２２は板ばね部２５の弾性力によって元の位置に復帰し、このとき掛止爪２３が差込プラグ５のフランジ部７ａに掛止されるようになっている。したがって、差込プラグ５を引き抜こうとしても、フランジ部７ａが掛止爪２３に引っ掛かって抜け止めされる。なお、プラグ受け１１から差込プラグ５を抜き取る作業については、差し込んだ時と同様に挟持部２２を外側に拡げた状態で行えばよい。
【００２５】
このように、本実施形態の接続固定具２０を使用すれば、簡単な作業でプラグ受け１１に差込プラグ５を接続することができ、しかも差込プラグ５がプラグ受け１１から抜けるのを確実に防止することができる。よって、電源トランス１の設置作業において、配線コード２を引っ張った時に電源トランス１から配線コード２が外れてしまうというトラブルがなく、遊技機を正常に稼動することができる。
【００２６】
なお、本実施形態の接続固定具２０には、枠体２１の短辺側内面に開閉部２６と突起２７と板ばね部２８からなる抜け止め機構が設けられているが、あらかじめ接続固定具２０をプラグ受け１１の配線コード側から挿入して固定するのであれば、この抜け止め機構を設ける必要はない。また、本実施形態では、商用電源のコンセントに接続された配線コード２と電源トランス１に接続された配線コード９を連結する例について説明したが、この接続固定具２０はこれ以外にも、配線コードを他の電気機器に接続する場合や配線コード同士を連結して延長する場合等にも同様に使用することができる。
【図面の簡単な説明】
【００２７】
【図１】本発明に係る配線用差込接続器の接続固定具を用いた接続例を示す外観図である。
【図２】本発明に係る接続固定具の構成を示す詳細図であり、（ａ）は外観図、（ｂ）は平面図、（ｃ）はＣ−Ｃ線断面図、（ｄ）はＤ−Ｄ線断面図、（ｅ）はＥ部拡大図である。
【図３】本発明に係る接続固定具の使用方法を示す説明図であり、（ａ）はプラグ受けに接続固定具を嵌め込む時の状態、（ｂ）はプラグ受けに差込プラグを差し込む時の状態、（ｃ）は接続固定具の挟持部を開いた時の状態、（ｄ）は接続固定具で差込プラグを抜け止めした時の状態を示す図である。
【図４】従来の電源トランスの接続方法を示す説明図である。
【符号の説明】
【００２８】
１    電源トランス
２    配線コード
３    コネクタ
４    ブラケット
５    差込プラグ
６    栓刃
７    プラグ本体
７ａ  フランジ部
８    刃受け穴
９    配線コード
１０    配線用差込接続器
１１    プラグ受け
１２    刃受け穴
１３    プラグ本体
１３ａ  フランジ部
２０    接続固定具
２１    枠体
２２    挟持部
２３    掛止爪
２４    貫通穴
２５    板ばね部
２６    開閉部
２７    突起
２８    板ばね部
【図１】
2009158355.tif 000003
【図２】
2009158355.tif 000004
【図３】
2009158355.tif 000005
【図４】
2009158355.tif 000006